(57)【要約】【課題】互いに異なる供給手段から主搬送経路上に供給される印刷物どうしを確実に重ね合わせる。【解決手段】  ディチャッター１０−１〜１０−ｎから供給された帳票１−１〜１−ｎが搭載される用紙受け台１１−１〜１１−ｎと、用紙受け台上１１−１〜１１−ｎにてディチャッター１０−１〜１０−ｎから供給される帳票１−１〜１−ｎが用紙受け台１１−１〜１１−ｎとの間に入り込むように設けられた用紙押え部材１２−１〜１２−ｎと、用紙受け台１２−１〜１２−ｎと平行に、用紙受け台１２−１〜１２−ｎから帳票１−１〜１−ｎの供給方向下流側に向かって、主搬送ライン２０上をチラシ２及び帳票１−１〜１−ｎを搬送するために移動する搬送フィンガー２１の移動経路を超える領域まで伸長して設けられ、搬送フィンガー２１の移動に伴って揺動可能に構成された用紙落込防止部材１３ａ−１〜１３ａ−ｎ，１３ｂ−１〜１３ｂ−ｎとを設ける。【選択図】図１ 
2005047677.tif 000002
【特許請求の範囲】
【請求項１】
丁合される印刷物の主搬送経路にて印刷物の搬送方向上流側から下流側に向かって移動する搬送部材と、前記主搬送経路に対して印刷物を供給する複数の供給手段と、前記主搬送経路上の前記搬送部材の移動経路ではない領域に前記複数の供給手段に対応して設けられた複数の用紙受け台とを有し、前記複数の供給手段から供給され、前記用紙受け台上に搭載された印刷物が、前記搬送部材によって、該搬送部材によって前記主搬送経路上を搬送されてくる印刷物上に落とされることにより印刷物どうしが重ね合わされて搬送されていく丁合装置において、
前記用紙受け台上にて前記供給手段から供給される印刷物が前記用紙受け台との間に入り込むように設けられた用紙押え手段と、
前記用紙受け台と平行に、該用紙受け台から印刷物の供給方向下流側に向かって少なくとも前記搬送部材の移動経路まで伸長して設けられ、前記搬送部材の移動に伴って揺動可能に構成された印刷物支持部材とを有することを特徴とする丁合装置。
【請求項２】
請求項１に記載の丁合装置において
前記用紙押え手段は、該用紙押え手段と前記用紙受け台との間に入り込んだ印刷物を前記用紙押え手段側から前記用紙受け台に押さえつけるばね部材を有することを特徴とする丁合装置。
【発明の詳細な説明】
【技術分野】
【０００１】
本発明は、複数の印刷物を丁合する丁合装置に関する。
【背景技術】
【０００２】
従来より、通信販売等のように、カタログ、チラシ、利用明細書等の複数種類の印刷物を同封して顧客に送付する場合、複数種類の印刷物が顧客毎に決められた組み合わせで丁合され、封筒に封入、封緘されて顧客に送付されている。
【０００３】
近年、このような複数種類の印刷物の丁合作業を自動的に行うシステムが様々考えられている。このようなシステムにおいては、例えば、主搬送経路に対して、カタログ、チラシ、利用明細書等の複数種類の印刷物が、それぞれ異なる供給手段から顧客毎の組み合わせに従って供給され、主搬送経路上にて顧客毎に決められた組み合わせの印刷物が重ね合わされる。
【０００４】
図３は、従来の丁合装置の一例を示す図であり、（ａ）は主搬送経路上方向から見た図、（ｂ）は（ａ）に示した矢印Ａ方向から見た図である。
【０００５】
本従来例は図３に示すように、互いに異なる印刷物となる帳票１０１−１〜１０１−ｎを供給するディタッチャー１１０−１〜１１０−ｎと、ディチャッター１１０−１〜１１０−ｎから供給された帳票１０１−１〜１０１−ｎが互いに重ね合わされて搬送されていく主搬送ライン１２０と、ディタッチャー１１０−１〜１１０−ｎのそれぞれに対応して設けられ、主搬送ライン１２０に次に供給される帳票１０１−１〜１０１−ｎが一時搭載される用紙受け台１１１−１〜１１１−ｎとから構成されている。また、主搬送ライン１２０においては、用紙受け台１１１−１〜１１１−ｎに搭載された帳票１０１−１〜１０１−ｎを搬送するための搬送フィンガー１２１が、帳票１０１−１〜１０１−ｎの搬送方向上流側から下流側に向かって移動している。
【０００６】
上記のように構成された丁合装置においては、チラシフィーダ（不図示）から主搬送ライン１２０上に供給されたチラシ１０２が搬送フィンガー１２１によって搬送されてくると、このチラシ１０２に重ね合わされるべき帳票１０１−１〜１０１−ｎがディチャッター１１０−１〜１１０−ｎから主搬送ライン１２０上に供給され、チラシ１０２に重ね合わされて主搬送ライン１２０上を搬送されていく。ここで、チラシ１０２は、チラシフィーダから供給され、主搬送ライン１２０上を順次搬送されてくるため、ディチャッター１１０−１〜１１０−ｎにおいては、主搬送ライン１２０上を１つ前に搬送されてくるチラシ１０２が通過したタイミングで、チラシ１０２に重ね合わされるべき帳票１０１−１〜１０１−ｎが用紙受け台１１１−１〜１１１−ｎ上に搭載される。すると、用紙受け台１１１−１〜１１１−ｎ上に搭載された帳票１０１−１〜１０１−ｎは、帳票１０１−１〜１０１−ｎに重ね合わされるべきチラシ１０２を搬送している搬送フィンガー１２１によって用紙受け台１１１−１〜１１１−ｎからチラシ１０２上に落とされるように押され、それにより、チラシ１０２に重ね合わされてチラシ１０２とともに搬送フィンガー１２１によって搬送されていく。また、ディチャッター１１０−１〜１１０−ｎから供給される帳票１０１−１〜１０１−ｎどうしについても、上述したようなチラシ１０２と帳票１０１−１〜１０１−ｎとの重ね合わせと同様にして、予め決められた組み合わせで重ね合わされて主搬送ライン１２０上を搬送フィンガー１２１によって搬送されていく。例えば、チラシフィーダから供給されたチラシ１０２と、ディチャッター１１０−１，１１０−３から供給された帳票１０１−１，１０１−３とが互いに重ね合わされて主搬送ライン１２０上を搬送フィンガー１２１によって搬送されていく等といったように行われる（例えば、特許文献１参照。）。
【特許文献１】特開平１１−５９９０４号公報
【発明の開示】
【発明が解決しようとする課題】
【０００７】
近年、上述したような丁合装置において丁合される帳票については、大型化されるとともに、薄い用紙が利用される傾向があり、そのためにディチャッターから供給される帳票の供給方向先端側が下方向に垂れ下がったり、あるいは、帳票が大きくない場合であっても、帳票の供給方向先端側が下方向にカールしていたりすること等によって、帳票が主搬送ライン上を搬送されてくるチラシや帳票に接触し、用紙受け台上に確実に搭載されなくなる虞れがあり、ジャムが発生しやすくなってしまうという問題点がある。また、帳票が用紙受け台に搭載された後に、主搬送経路上の用紙受け台が設けられた領域にチラシや帳票が搬送されてくる場合は、主搬送経路上を搬送されてくるチラシや帳票の搬送方向先端部が、用紙受け台から垂れ下がった帳票に接触し、ジャムが発生してしまう虞れがある。すなわち、搬送フィンガーが移動する経路上においては、帳票を受ける用紙受け台を設けることができないため、主搬送ライン上を搬送されてくる帳票と、ディタッチャーから供給される帳票との接触（摩擦抵抗）により、主搬送ライン上を搬送されてくる帳票にディタッチャーから供給される帳票が搭載される際に帳票に傾きが発生したり、帳票がカールした状態で搭載されたりする等といった搬送エラーの原因が生じてしまう。
【０００８】
また、重ね合わされる帳票の大きさが互いに異なる場合においても、上述したような問題点が生じてしまう。
【０００９】
また、上述したような丁合装置においては、処理量の増加に伴い、処理の高速化が要求されており、そのため、ディチャッターからの帳票の供給が高速で行われている。しかしながら、ディチャッターからの帳票の供給が高速で行われた場合、帳票がディチャッターから強い力で供給されることになるため、ディチャッターから供給される帳票が、主搬送ラインの対向部分の壁にてはね返る等して用紙受け台上に確実に搭載されなくなる虞れがあり、その場合においても、ジャムが発生しやすくなってしまうという問題点がある。
【００１０】
本発明は、上述したような従来の技術が有する問題点に鑑みてなされたものであって、互いに異なる供給手段から主搬送経路上に供給される印刷物どうしを確実に重ね合わせることができる丁合装置を提供することを目的とする。
【課題を解決するための手段】
【００１１】
上記目的を達成するために本発明は、
丁合される印刷物の主搬送経路にて印刷物の搬送方向上流側から下流側に向かって移動する搬送部材と、前記主搬送経路に対して印刷物を供給する複数の供給手段と、前記主搬送経路上の前記搬送部材の移動経路ではない領域に前記複数の供給手段に対応して設けられた複数の用紙受け台とを有し、前記複数の供給手段から供給され、前記用紙受け台上に搭載された印刷物が、前記搬送部材によって、該搬送部材によって前記主搬送経路上を搬送されてくる印刷物上に落とされることにより印刷物どうしが重ね合わされて搬送されていく丁合装置において、
前記用紙受け台上にて前記供給手段から供給される印刷物が前記用紙受け台との間に入り込むように設けられた用紙押え手段と、
前記用紙受け台と平行に、該用紙受け台から印刷物の供給方向下流側に向かって少なくとも前記搬送部材の移動経路まで伸長して設けられ、前記搬送部材の移動に伴って揺動可能に構成された印刷物支持部材とを有することを特徴とする。
【００１２】
また、前記用紙押え手段は、該用紙押え手段と前記用紙受け台との間に入り込んだ印刷物を前記用紙押え手段側から前記用紙受け台に押さえつけるばね部材を有することを特徴とする。
【００１３】
上記のように構成された本発明においては、複数の供給手段から供給された印刷物は、それぞれ、主搬送経路にて印刷物の搬送方向上流側から下流側に向かって移動する搬送部材の移動経路ではない領域に複数の供給手段に対応して設けられた複数の用紙受け台上において、用紙受け台上に設けられた用紙押さえ部材と用紙受け台との間に入り込むように搭載される。この際、用紙受け台上に搭載される印刷物の供給方向下流側においては、用紙受け台が搬送部材の移動経路には設けられていないことにより、用紙受け台によって支持されていない状態となるが、用紙受け台と平行に、用紙受け台から印刷物の供給方向下流側に向かって少なくとも搬送部材の移動経路まで伸長して設けられた印刷物支持部材によって、下方に落ち込まないように支持される。そのため、用紙受け台上に搭載される印刷物が、主搬送経路上を搬送されてくる他の印刷物に接触することがなくなり、それにより、用紙受け台上に確実に搭載される。また、帳票が用紙受け台に搭載された後に、主搬送経路上の用紙受け台が設けられた領域にチラシや帳票が搬送されてくる場合においても、主搬送経路上を搬送されてくるチラシや帳票の搬送方向先端部が、用紙受け台上に搭載された印刷物に接触することがなくなり、ジャムの発生が回避される。その後、搬送部材が主搬送経路を移動してきて、用紙受け台上に搭載された印刷物に接触すると、印刷物は、搬送部材の移動に伴って搬送されていく。ここで、搬送部材がさらに移動すると、搬送部材と印刷物支持部材とが接触することになるが、印刷物支持部材は、搬送部材に接触した後、搬送部材の移動に伴って主搬送経路における印刷物の搬送方向下流側に揺動する。これにより、用紙受け台上に搭載された印刷物が主搬送経路上に落ち込まないようにしながら、用紙受け台上に搭載された印刷物が搬送部材によって移動していき、その後、主搬送経路上を搬送されてきた印刷物上に落とされて搬送されていく。このようにして、用紙受け台上に搭載された印刷物が、搬送部材によって主搬送経路上を搬送されてきた印刷物上に落とされて互いに重ね合わされて搬送されていく。
【００１４】
また、供給手段から用紙受け台上に印刷物が搭載された際に、用紙押え手段に設けられたばね部材によって、用紙押え手段と用紙受け台との間に入り込んだ印刷物を用紙押え手段側から用紙受け台に押さえつけた場合は、供給手段から供給された印刷物が主搬送経路の対向部分の壁にて突き当たった際に、用紙押え手段と用紙受け台との間において帳票の供給方向上流側にはね返ることがなくなる。
【発明の効果】
【００１５】
以上説明したように本発明においては、丁合される印刷物の主搬送経路にて印刷物の搬送方向上流側から下流側に向かって移動する搬送部材と、主搬送経路に対して印刷物を供給する複数の供給手段と、主搬送経路上の搬送部材の移動経路ではない領域に複数の供給手段に対応して設けられた複数の用紙受け台とを有し、複数の供給手段から供給され、用紙受け台上に搭載された印刷物が、搬送部材によって、搬送部材によって主搬送経路上を搬送されてくる印刷物上に落とされることにより印刷物どうしが重ね合わされて搬送されていく丁合装置において、用紙受け台上にて供給手段から供給される印刷物が用紙受け台との間に入り込むように設けられた用紙押え手段と、用紙受け台と平行に、用紙受け台から印刷物の供給方向下流側に向かって少なくとも搬送部材の移動経路まで伸長して設けられ、搬送部材の移動に伴って揺動可能に構成された印刷物支持部材とを有する構成としたため、用紙受け台上に搭載される印刷物が、主搬送経路上を搬送されてくる他の印刷物に接触することがなくなり、それにより、複数の供給手段から供給された印刷物を主搬送経路上にて確実に重ね合わせることができる。
【００１６】
また、用紙押え手段に、用紙押え手段と用紙受け台との間に入り込んだ印刷物を用紙押え手段側から用紙受け台に押さえつけるばね部材を設けたものにおいては、供給手段から供給された印刷物が主搬送経路の対向部分の壁にて突き当たった際に、用紙押え手段と用紙受け台との間において帳票の供給方向上流側にはね返ることがなくなり、上記同様に、複数の供給手段から供給された印刷物を主搬送経路上にて確実に重ね合わせることができる。
【発明を実施するための最良の形態】
【００１７】
以下に、本発明の実施の形態について図面を参照して説明する。
【００１８】
図１は、本発明の丁合装置の実施の一形態を示す図であり、（ａ）は主搬送経路上方向から見た図、（ｂ）は（ａ）に示した矢印Ａ方向から見た図である。
【００１９】
本形態は図１に示すように、互いに異なる印刷物となる帳票１−１〜１−ｎを供給する供給手段であるディタッチャー１０−１〜１０−ｎと、ディチャッター１０−１〜１０−ｎから供給された帳票１−１〜１−ｎが互いに重ね合わされて搬送されていく主搬送経路である主搬送ライン２０と、主搬送ライン２０にて重ね合わされる印刷物の搬送方向上流側から下流側に向かって移動する搬送部材である搬送フィンガー２１と、主搬送ライン２０上の搬送フィンガー２１の移動経路ではない領域にディタッチャー１０−１〜１０−ｎのそれぞれに対応して設けられ、主搬送ライン２０に次に供給される帳票１−１〜１−ｎが一時搭載される用紙受け台１１−１〜１１−ｎと、用紙受け台１１−１〜１１−ｎ上にてディチャッター１０−１〜１０−ｎから供給される帳票１−１〜１−ｎが用紙受け台１１−１〜１１−ｎとの間に入り込むように設けられた用紙押え部材１２−１〜１２−ｎと、用紙受け台１１−１〜１１−ｎと平行に、用紙受け台１１−１〜１１−ｎから帳票１−１〜１−ｎの供給方向下流側に向かって搬送フィンガー２１の移動経路を超える領域まで伸長して設けられ、搬送フィンガー２１の移動に伴って揺動可能に構成された印刷物支持部材である用紙落込防止部材１３ａ−１〜１３ａ−ｎ，１３ｂ−１〜１３ｂ−ｎと、用紙押え部材１２−１〜１２−ｎにそれぞれ設けられ、用紙押え部材１２−１〜１２−ｎと用紙受け台１１−１〜１１−ｎとの間に入り込んだ帳票１−１〜１−ｎを用紙押え部材１２−１〜１２−ｎ側から用紙受け台１１−１〜１１−ｎに押さえつけるばね部材１４−１〜１４−ｎとから構成されている。
【００２０】
以下に、上記のように構成された丁合装置の動作について、ディタッチャー１０−１から帳票１−１が供給される際の動作を例に挙げて説明する。
【００２１】
図２は、図１に示した丁合装置の動作を説明するための図である。
【００２２】
ディタッチャー１０−１においては、外部から供給された連続状の帳票が単片状に断裁され、単片状となった帳票１−１が用紙受け台１１−１上に供給され、用紙受け台１１−１と用紙押え部材１２−１との間に入り込むように用紙受け台１１−１上に搭載される（図２（ａ））。この際、ディチャッター１０−１から供給された帳票１−１は、その供給方向下流側が、用紙受け台１１−１に取り付けられた２つの用紙落込防止部材１３ａ−１，１３ｂ−１によって下方に落ち込まないように支持されており、それにより、主搬送ライン２０上を搬送されてくる他の印刷物に帳票１−１が接触することがなくなる。また、用紙受け台１１−１と用紙押え部材１２−１との間に入り込むように用紙受け台１１−１上に搭載された帳票１−１が、用紙押え部材１２−１に設けられたばね部材１４−１によって用紙押え部材１２−１側から用紙受け台１１−１に押さえつけられる。このばね部材１２−１は、例えば、ステンレスからなる板状のものであって、ディチャッター１０−１から近い側においては、用紙受け台１１−１との間に隙間を有し、かつ、ディチャッター１０−１から遠い側においては、用紙受け台１１−１と接している。これにより、ディチャッター１０−１から用紙受け台１１−１上に供給された帳票１−１は、ばね部材１４−１と用紙受け台１１−１との間において帳票１１−１の供給方向下流側に滑り込むように移動する一方、帳票１−１が主搬送ライン２０の対向部分の壁にて突き当たった際に、用紙押え部材１２−１と用紙受け台１１−１との間において帳票１１−１の供給方向上流側にはね返ることがなくなる。なお、単片状となった帳票１−１のディチャッター１０−１から用紙受け台１１−１への供給は、その帳票１−１が、主搬送ライン２０上を搬送されてくるチラシ２のうち、帳票１−１に重ね合わされるべきチラシ２に重ね合わされるように行われる必要がある。そのため、主搬送ライン２０上を１つ前に搬送されてくるチラシ２が通過したタイミングで、チラシ２に重ね合わされるべき帳票１−１が用紙受け台１１−１上に搭載されるように制御される。
【００２３】
一方、チラシフィーダ（不図示）から主搬送ライン２０上に供給されたチラシ２は、主搬送ライン２０を、帳票１−１を含む印刷物の搬送方向上流側から下流側に向かって移動する搬送フィンガー２１によって、その搬送方向上流端が搬送方向下流側に押されることにより、主搬送ライン２０上を搬送されてくる（図２（ｂ））。
【００２４】
主搬送ライン２０を移動する搬送フィンガー２１が、用紙受け台１１−１上に搭載された帳票１−１に接触すると、帳票１−１は、搬送フィンガー２１の移動に伴って、主搬送ライン２０における帳票１−１の搬送方向下流側に押され、用紙受け台１１−１上を搬送方向下流側にずれるように移動していく（図２（ｃ））。
【００２５】
搬送フィンガー２１が主搬送ライン２０をさらに移動し、用紙受け台１１−１に取り付けられた２つの用紙落込防止部材１３ａ−１，１３ｂ−１のうち、主搬送ライン２０における印刷物の搬送方向上流側の用紙落込防止部材１３ａ−１に接すると、用紙落込防止部材１３ａ−１は、搬送フィンガー２１に押されて主搬送ライン２０における印刷物の搬送方向下流側に揺動し、また、帳票１−１は、搬送フィンガー２１によって主搬送ライン２０における搬送方向下流側にさらに搬送されていく（図２（ｄ））。
【００２６】
搬送フィンガー２１が主搬送ライン２０をさらに移動していき、主搬送ライン２０における印刷物の搬送方向下流側に揺動していた用紙落込部材１３ａ−１が搬送フィンガー２１から離間すると、用紙落込防止部材１３ａ−１は、搬送フィンガー２１によって主搬送ライン２０における搬送方向下流側に押される前の状態に戻る（図２（ｅ））。ここで、用紙落込防止部材１３ａ−１，１３ｂ−１においては、用紙受け台１１−１に取り付けられた部分を回転軸として回転自在に、かつ、外力が加わらない状態においてはばね力等によって、図２（ａ）に示した状態に戻るような構成とすることや、湾曲可能な板状の部材とし、搬送フィンガー２１によって押された場合に、用紙受け台１１−１に取り付けられた部分を固定軸として湾曲するような構成とすることが考えられる。
【００２７】
その後、搬送フィンガー２１が主搬送ライン２０をさらに移動していき、主搬送ライン２０における印刷物の搬送方向下流側の用紙落込防止部材１３ｂ−１に接すると、用紙落込防止部材１３ｂ−１は、搬送フィンガー２１に押されて主搬送ライン２０における印刷物の搬送方向下流側に揺動し、また、帳票１−１は、搬送フィンガー２１によって主搬送ライン２０における搬送方向下流側にさらに搬送されていき、用紙受け台１１−１及び用紙落込防止部材１３ｂ−１から、主搬送ライン２０上を搬送されてくるチラシ２上に落とされ、チラシ２に重ね合わされた状態で搬送フィンガー２１によって主搬送ライン２０上を搬送されていく（図２（ｆ））。また、用紙落込防止部材１３ｂ−１は、搬送フィンガー２１によって主搬送ライン２０における搬送方向下流側に押される前の状態に戻る。
【００２８】
このようにして、チラシフィーダから供給されたチラシ２と、ディタッチャー１０−１〜１０−ｎから供給された帳票１−１〜１−ｎとが、予め決められた組み合わせで重ね合わされて主搬送ライン２０上を搬送フィンガー２１によって搬送されていく。
【００２９】
なお、本形態においては、用紙落込防止部材１３ａ−１〜１３ａ−ｎ，１３ｂ−１〜１３ｂ−ｎが、用紙受け台１１−１〜１１−ｎから帳票１−１〜１−ｎの供給方向下流側に向かって搬送フィンガー２１の移動経路を超える領域まで伸長して設けられているが、具体的には、用紙落込防止部材１３ａ−１〜１３ａ−ｎ，１３ｂ−１〜１３ｂ−ｎの先端が、主搬送ライン２０のディタッチャー１０−１〜１０−ｎとの対向部分の壁に接触しない程度に長いものが好ましいが、少なくとも、用紙落込防止部材１３ａ−１〜１３ａ−ｎ，１３ｂ−１〜１３ｂ−ｎが搬送フィンガー２１の移動経路まで伸長していればよい。
【００３０】
また、本形態においては、印刷物支持部材として、用紙落込防止部材１３ａ−１〜１３ａ−ｎが、主搬送ライン２０上に供給される帳票１−１〜１−ｎの下側となるように配置されているが、搬送フィンガー２１の動きに対して揺動可能に構成された印刷物支持部材を、用紙押え部材１２−１〜１２−ｎに組み付け、主搬送ライン２０上に供給される帳票１−１〜１−ｎの上面となるように配置することも考えられる。具体的には、用紙押え部材１２−１〜１２−ｎから帳票１−１〜１−ｎの供給方向下流側に向かって少なくとも搬送フィンガー２１の移動経路まで伸長して設けられ、搬送フィンガー２１の移動に伴って揺動可能に構成された印刷物支持部材を有する構成とする。これにより、ディタッチャー１０−１〜１０−ｎから供給される帳票１−１〜１−ｎが、その先端が上側にカールしている場合であっても、ディタッチャー１０−１〜１０−ｎとの対向部分の壁面までカールを防止させて直進させることができ、ディタッチャー１０−１〜１０−ｎから供給された帳票１−１〜１−ｎを上下から挟み込んだ状態で壁面まで誘導することができ、帳票１−１〜１−ｎを主搬送ライン２０上に確実に搭載することができる。
【図面の簡単な説明】
【００３１】
【図１】本発明の丁合装置の実施の一形態を示す図であり、（ａ）は主搬送経路上方向から見た図、（ｂ）は（ａ）に示した矢印Ａ方向から見た図である。
【図２】図１に示した丁合装置の動作を説明するための図である。
【図３】従来の丁合装置の一例を示す図であり、（ａ）は主搬送経路上方向から見た図、（ｂ）は（ａ）に示した矢印Ａ方向から見た図である。
【符号の説明】
【００３２】
１−１〜１−ｎ    帳票
２    チラシ
１０−１〜１０−ｎ    ディタッチャー
１１−１〜１１−ｎ    用紙受け台
１２−１〜１２−ｎ    用紙押え部材
１３ａ−１〜１３ａ−ｎ，１３ｂ−１〜１３ｂ−ｎ    用紙落込防止部材
１４−１〜１４−ｎ    ばね部材
２０    主搬送ライン
２１    搬送フィンガー                                                                               
【図１】
2005047677.tif 000003
【図２】
2005047677.tif 000004
【図３】
2005047677.tif 000005